【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
表示装置であって、
撮像装置から撮像画像を受信する受信手段と、
前記撮像画像を表示する表示手段と、
前記表示装置の姿勢を検出する検出手段と、
前記表示手段での前記撮像画像の表示中に、ユーザからの指示に応じて、前記検出手段により検出された姿勢を示す姿勢情報を前記撮像装置へ送信する送信手段と、
を備えることを特徴とする表示装置。
【請求項２】
前記表示手段は、前記検出手段により検出された姿勢を示す補助情報を前記撮像画像とともに表示する
ことを特徴とする請求項１に記載の表示装置。
【請求項３】
前記補助情報は、前記表示手段の表示面に直交する回転軸における前記表示装置の回転角度に応じた、前記表示装置における重力方向と垂直な水平線を示す水平補助線を含む
ことを特徴とする請求項２に記載の表示装置。
【請求項４】
前記姿勢情報は、前記検出手段で検出した重力方向を示す情報、あるいは前記表示手段の表示面に直交する軸を回転軸とした重力方向に対する角度に関する情報を含むことを特徴とする請求項１乃至３の何れか１項に記載の表示装置。
【請求項５】
前記補助情報は、前記表示装置の傾き角度が基準値の場合に前記表示手段の縦方向と平行になるように表示される２つの補助線を含み、
前記表示手段の上部が奥へ傾くほど、前記２つの補助線の上部の間隔に比べて下部の間隔が広くなり、
前記表示手段の上部が手前へ傾くほど、前記２つの補助線の上部の間隔に比べて下部の間隔が狭くなる
ことを特徴とする請求項２又は３に記載の表示装置。
【請求項６】
前記姿勢情報は、前記検出手段で検出した重力方向を示す情報、あるいは前記表示手段の表示面の重力方向に対する角度に関する情報を含むことを特徴とする請求項１乃至５の何れか１項に記載の表示装置。
【請求項７】
前記表示手段は、前記検出手段により検出された姿勢に基づいて撮像画像を回転補正またはあおり補正をした場合に当該撮像画像から切り出される部分領域を示す情報を前記撮像画像とともに表示する
ことを特徴とする請求項１乃至６のいずれか１項に記載の表示装置。
【請求項８】
前記受信手段は、前記撮像装置の姿勢を示す撮像装置姿勢情報を受信し、
前記表示手段は、前記撮像装置姿勢情報に基づき、前記撮像装置における水平方向を示す情報を前記撮像画像とともに表示する
ことを特徴とする請求項１乃至７のいずれか１項に記載の表示装置。
【請求項９】
前記表示装置は、ユーザが手持ち可能な携帯端末である
ことを特徴とする請求項１乃至８のいずれか１項に記載の表示装置。
【請求項１０】
前記送信手段は、撮像画像に対して切り出して回転する処理を施すための情報として、前記姿勢情報を送信することを特徴とする請求項１乃至９の何れか１項に記載の表示装置。
【請求項１１】
前記受信手段は、前記姿勢情報を前記撮像装置に送信した後に、前記姿勢情報に基づいて補正された撮像画像を受信し、
前記表示手段は前記補正された撮像画像を表示することを特徴とする請求項1乃至１０のいずれか１項に記載の表示装置。
【請求項１２】
前記検出手段により検出された姿勢に基づいて撮像画像に回転補正又はあおり補正をするのに必要な撮像画像の切り出し画像サイズを算出する算出手段を更に備え、
前記表示手段は、前記算出された切り出し画像サイズを持ち、前記検出手段により検出された姿勢に基づいて撮像画像を回転補正又はあおり補正をした場合に当該撮像画像から切り出される、部分領域を示す情報を前記撮像画像とともに表示する
ことを特徴とする請求項１乃至１１のいずれか１項に記載の表示装置。
【請求項１３】
撮像画像を生成する撮像手段と、
前記撮像画像を表示装置へ送信する送信手段と、
前記表示装置の姿勢を示す姿勢情報を前記表示装置から受信する受信手段と、
前記受信手段により受信された姿勢情報に基づいて、撮像画像に対して特定の処理を施して記録する処理手段と、
を備えることを特徴とする撮像装置。
【請求項１４】
前記特定の処理は、前記姿勢情報に基づく前記撮像画像の回転補正又はあおり補正を含む
ことを特徴とする請求項１３に記載の撮像装置。
【請求項１５】
前記特定の処理は、前記撮像画像に前記姿勢情報を関連付けて記録する処理を含む
ことを特徴とする請求項１３又は１４に記載の撮像装置。
【請求項１６】
前記処理手段により前記姿勢情報が関連付けて記録された撮像画像を再生する再生手段を更に備え、
前記処理手段は、前記再生手段による前記撮像画像の再生時に、前記撮像画像に関連付けられた姿勢情報に基づいて前記撮像画像に回転補正又はあおり補正を行うことを特徴とする請求項１５に記載の撮像装置。
【請求項１７】
前記姿勢情報は、前記表示装置で検出した重力方向を示す情報、あるいは前記表示装置の表示手段の表示面に直交する軸を回転軸とした重力方向に対する角度に関する情報を含む
ことを特徴とする請求項１３乃至１６のいずれか１項に記載の撮像装置。
【請求項１８】
前記姿勢情報は、前記表示装置で検出した重力方向を示す情報、あるいは前記表示装置の表示手段の表示面の重力方向に対する角度に関する情報を含む
ことを特徴とする請求項１３乃至１７のいずれか１項に記載の撮像装置。
【請求項１９】
前記受信手段により受信された前記姿勢情報に基づいて前記特定の処理を施すための情報を保持する保持手段を更に有し、
前記処理手段は、前記姿勢情報を受信した後に撮像された複数の画像に対して、前記保持手段に保持された前記情報に基づいて前記特定の処理を施すことを特徴とする請求項１３乃至１８のいずれか１項に記載の撮像装置。
【請求項２０】
表示装置と撮像装置とを含む撮像システムであって、
前記表示装置は、
前記撮像装置から撮像画像を受信する受信手段と、
前記撮像画像を表示する表示手段と、
前記表示装置の姿勢を検出する検出手段と、
前記表示手段での前記撮像画像の表示中に、ユーザからの指示に応じて、前記検出手段により検出された姿勢を示す姿勢情報を前記撮像装置へ送信する送信手段と、
を備え、
前記撮像装置は、
撮像画像を生成する撮像手段と、
前記撮像画像を前記表示装置へ送信する送信手段と、
前記表示装置の姿勢を示す姿勢情報を前記表示装置から受信する受信手段と、
前記撮像装置の前記受信手段により受信された姿勢情報に基づいて、撮像画像に対して特定の処理を施して記録する処理手段と、
を備える
ことを特徴とする撮像システム。
【請求項２１】
表示手段と姿勢検出手段とを有する表示装置の制御方法であって、
撮像装置から撮像画像を受信する受信工程と、
前記撮像画像を前記表示手段に表示する表示工程と、
前記姿勢検出手段で前記表示装置の姿勢を検出する検出工程と、
前記表示工程による前記撮像画像の表示中に、ユーザからの指示に応じて、前記検出工程により検出された姿勢を示す姿勢情報を前記撮像装置へ送信する送信工程と、
を備えることを特徴とする表示装置の制御方法。
【請求項２２】
撮像装置の制御方法であって、
撮像画像を生成する撮像工程と、
前記撮像画像を表示装置へ送信する送信工程と、
前記表示装置の姿勢を示す姿勢情報を前記表示装置から受信する受信工程と、
前記受信工程により受信された姿勢情報に基づいて、撮像画像に対して特定の処理を施して記録する処理工程と、
を備えることを特徴とする撮像装置の制御方法。
【請求項２３】
コンピュータを、請求項１乃至１２のいずれか１項に記載の表示装置の各手段として機能させるためのプログラム。
【請求項２４】
コンピュータを、請求項１３乃至１９のいずれか１項に記載の撮像装置の各手段として機能させるためのプログラム。
【請求項２５】
コンピュータを、請求項１乃至１２のいずれか１項に記載の表示装置の各手段として機能させるためのプログラムを記録したコンピュータが読み取り可能な記録媒体。
【請求項２６】
コンピュータを、請求項１３乃至１９のいずれか１項に記載の撮像装置の各手段として機能させるためのプログラムを記録したコンピュータが読み取り可能な記録媒体。
【手続補正２】
【補正対象書類名】明細書
【補正対象項目名】００１０
【補正方法】変更
【補正の内容】
【００１０】
上記課題を解決するために、本発明は、表示装置であって、撮像装置から撮像画像を受信する受信手段と、前記撮像画像を表示する表示手段と、前記表示装置の姿勢を検出する検出手段と、前記表示手段での前記撮像画像の表示中に、ユーザからの指示に応じて、前記検出手段により検出された姿勢を示す姿勢情報を前記撮像装置へ送信する送信手段と、を備えることを特徴とする表示装置を提供する。